(57)【要約】部品点数の削減により組み立て作業性が向上すると共に、重量軽減により操作性を向上させることができる電気掃除機の接続ホースおよびそれを備えた電気掃除機を提供する。可撓性ホース部と、ハンドル部と、操作部と、前記操作部の操作ボタンからの指令信号を前記掃除機本体側へ送信する電気配線部とを備えた電気掃除機の接続ホースにおいて、前記可撓性ホース部は、ホース先端部の外周面に設けられた第１電極取付部を有し、前記ハンドル部は、前記ホース先端部が回動可能に嵌め込まれた接続管部と、前記操作部を有しかつ前記接続管部と結合したハンドル本体部と、前記ハンドル本体部に設けられた第２電極取付部とを有し、前記電気配線部は、前記可撓性ホースの前記第１電極取付部に取り付けられた円環状の第１電極と、前記第１電極に周方向に摺動可能に前記ハンドル部の前記第２電極取付部に取り付けられた第２電極とを有する。
2019026306.tif 000002
【特許請求の範囲】
【請求項１】
電動送風機を内蔵する掃除機本体に接続されるホース基端部を有する可撓性ホース部と、前記可撓性ホース部のホース先端部に取り付けられたハンドル部と、前記ハンドル部に設けられた操作ボタンを有する操作部と、前記操作部の前記操作ボタンからの指令信号を前記掃除機本体側へ送信する電気配線部とを備え、  前記可撓性ホース部は、前記ホース先端部の外周面に設けられた第１電極取付部を有し、  前記ハンドル部は、前記可撓性ホース部の前記ホース先端部が回動可能に嵌め込まれた接続管部と、前記操作部を有しかつ前記接続管部と結合したハンドル本体部と、前記ハンドル本体部に設けられた第２電極取付部とを有し、  前記電気配線部は、前記可撓性ホースの前記第１電極取付部に取り付けられた円環状の第１電極と、前記第１電極に周方向に摺動可能に前記ハンドル部の前記第２電極取付部に取り付けられた第２電極とを有することを特徴とする電気掃除機の接続ホース。
【請求項２】
前記ハンドル本体部は、前記接続管部と結合する内面側に一体成形された前記第２電極取付部を有し、  前記接続管部は、前記第２電極取付部に取り付けられた前記第２電極を前記第１電極取付部に取り付けられた前記第１電極側に露出させる孔部を有する請求項１に記載の接続ホース。
【請求項３】
前記第２電極は、前記第２電極取付部に溶着またはインサート成形されて取り付けられている請求項１または２に記載の接続ホース。
【請求項４】
前記ハンドル部は、延長パイプを介して接続可能なハンドル先端部を有し、  前記電気配線部は、前記延長パイプに設けられた凸型または凹型接続端子と電気的に接続可能な凹型または凸型接続端子を有し、  前記ハンドル先端部における前記ハンドル本体部は、前記電気配線部の凹型または凸型接続端子を取り付ける端子取付部を有し、  前記電気配線部の凹型または凸型接続端子は、前記端子取付部に取り付けられている請求項１〜３のいずれか１つに記載の接続ホース。
【請求項５】
電動送風機を内蔵する掃除機本体と、前記掃除機本体に接続される請求項１〜４のいずれか１つに記載の接続ホースとを備えた電気掃除機。
【発明の詳細な説明】
【技術分野】
【０００１】  本発明は、電気掃除機の接続ホースおよびそれを備えた電気掃除機に関する。
【背景技術】
【０００２】  従来の電気掃除機として、特許文献１には、電動送風機を内蔵した掃除機本体と、掃除機本体に離脱可能に接続された接続ホースと、接続ホースに離脱可能に接続された延長パイプと、延長パイプに離脱可能に接続された吸込口体とを供えたキャニスター型電気掃除機が開示されている。【０００３】  特許文献１の電気掃除機において、接続ホースは、掃除機本体に接続されるホース基端部を有する可撓性ホース部と、可撓性ホース部のホース先端部に取り付けられたハンドル部と、ハンドル部に設けられた操作ボタンを有する操作部と、操作部の操作ボタンからの指令信号を掃除機本体側へ送信する電気配線部とを備え、可撓性ホース部とハンドル部とが相対的に回動可能なように次のように構成されている。【０００４】  可撓性ホース部は、ホース先端部の外周面に設けられた円環状の電極取付溝を有している。  また、ハンドル部は、可撓性ホース部のホース先端部が回動可能に嵌め込まれた接続管部（手元ハンドル下部材）と、接続管部と結合した操作部を有するハンドル本体部（手元ハンドル上および中部材）と、ハンドル本体部と接続管部との間に設けられた接点蓋（接続端子押さえ部材）とを有している。  また、電気配線部は、可撓性ホースの電極取付溝内に設けられた円環状導電体と、円環状導電体に周方向に摺動可能にハンドル部の接点蓋に取り付けられた接点電極とを有する。
【先行技術文献】
【特許文献】
【０００５】
【特許文献１】特開２０１３−５９５２５号公報
【発明の概要】
【発明が解決しようとする課題】
【０００６】  特許文献１のように、従来のキャニスター型電気掃除機では、接点電極が取り付けられた接点蓋をハンドル本体部にビスにて取り付ける構造であるため、部品点数が増えて組み立て作業性が低下すると共に、使用者が持つハンドル部の重量が増加して操作性の低下にも繋がっている。【０００７】  本発明はこのような課題に鑑みなされたものであり、部品点数の削減により組み立て作業性が向上すると共に、重量軽減により操作性を向上させることができる電気掃除機の接続ホースおよびそれを備えた電気掃除機を提供することを目的とする。
【課題を解決するための手段】
【０００８】  かくして、本発明によれば、電動送風機を内蔵する掃除機本体に接続されるホース基端部を有する可撓性ホース部と、前記可撓性ホース部のホース先端部に取り付けられたハンドル部と、前記ハンドル部に設けられた操作ボタンを有する操作部と、前記操作部の前記操作ボタンからの指令信号を前記掃除機本体側へ送信する電気配線部とを備え、  前記可撓性ホース部は、前記ホース先端部の外周面に設けられた第１電極取付部を有し、  前記ハンドル部は、前記可撓性ホース部の前記ホース先端部が回動可能に嵌め込まれた接続管部と、前記操作部を有しかつ前記接続管部と結合したハンドル本体部と、前記ハンドル本体部に設けられた第２電極取付部とを有し、  前記電気配線部は、前記可撓性ホースの前記第１電極取付部に取り付けられた円環状の第１電極と、前記第１電極に周方向に摺動可能に前記ハンドル部の前記第２電極取付部に取り付けられた第２電極とを有する電気掃除機の接続ホースが提供される。【０００９】  また、本発明の別の観点によれば、電動送風機を内蔵する掃除機本体と、前記掃除機本体に接続される前記接続ホースとを備えた電気掃除機が提供される。
【発明の効果】
【００１０】  本発明の電気掃除機の接続ホースによれば、ハンドル部と可撓性ホース部とが相対的に回動可能に連結した構造において、ハンドル部のハンドル本体部に第２電極取付部を設け、可撓性ホース部側の円環状の第１電極に周方向に摺動する第２電極を第２電極取付部に取り付けるようにしている。この構成により、従来必要であった接点蓋およびそれをハンドル部に取り付けるビス等が省略されるため、接続ホースの組み立て作業性が向上すると共に、使用者が持つハンドル部が軽量化されて操作性が向上する。
【図面の簡単な説明】
【００１１】
【図１】本発明の接続ホースを備えた電気掃除機の実施形態１を示す斜視図である。
【図２】実施形態１の接続ホースにおけるハンドル部を示す左側面図である。
【図３】図２の接続ホースの左側断面図である。
【図４】実施形態１におけるハンドル部のハンドル本体部を取り外した状態を示す（Ａ）は斜視図、（Ｂ）は平面図である。
【図５】実施形態１におけるハンドル部のハンドル本体部の下部筐体を示す（Ａ）は下方から視た斜視図、（Ｂ）は底面図である。
【図６】実施形態１におけるハンドル部のハンドル本体部の下部筐体を示す（Ａ）は上方から視た斜視図、（Ｂ）は平面図である。
【図７】実施形態１におけるハンドル部のハンドル本体部の第２電極付きの下部筐体を示す（Ａ）は下方から視た斜視図、（Ｂ）は底面図である。
【図８】実施形態１における第２電極が第２電極取付部へ熱溶着により取り付けられた状態を示す断面図である。
【図９】実施形態２における第２電極が第２電極取付部へインサート成形により取り付けられた状態を示す断面図である。
【発明を実施するための形態】
【００１２】（実施形態１）＜電気掃除機の構成＞  図１は本発明の接続ホースを備えた電気掃除機の実施形態１を示す斜視図である。  図１に示されるように、実施形態１の電気掃除機１は、掃除機本体１０と、掃除機本体１０に着脱可能に接続する接続ホース２０と、接続ホース２０に着脱可能に接続する延長パイプ３０と、延長パイプ３０に着脱可能に接続する吸込口体４０とを備える。
【００１３】  掃除機本体１０は、電動送風機および制御基板を内蔵する駆動装置１１と、駆動装置１１に着脱可能に装着されたサイクロン方式のダストカップユニット１２とを備える。  駆動装置１１の内部には、商用電源からの電力を電気掃除機１に供給するための電源コードが引き出し可能に巻設されている。なお、電源コードの代わりにバッテリーが駆動装置１１に設けられるようにしてもよい。  また、ダストカップユニット１２には、接続ホース２０の後述する可撓性ホース部２１のホース基端部２１ａ1が離脱可能に接続される接続部１２ａが設けられている。
【００１４】  接続ホース２０は、前記可撓性ホース部２１と、可撓性ホース部２１のホース先端部２１ａ2に取り付けられたハンドル部２２と、ハンドル部２２に設けられた２個の操作ボタン２３ａ、２３ｂを有する操作部２３と、操作部２３の操作ボタンからの指令信号を掃除機本体１０側および吸込口体４０側へ送信する図示しない電気配線部とを備える。  操作ボタン２３ａは電源のＯＮとＯＦＦを切り替えるスイッチと接続され、操作ボタン２３ｂは吸引力の強弱を切り替えるスイッチと接続されている。  なお、接続ホース２０について詳しくは後述する。
【００１５】  延長パイプ３０は、接続ホース２０のハンドル部２２のハンドル先端部２２ａと離脱可能に接続する基端部３１ａを有する第１パイプ部３１と、第１パイプ部３１の先端部３１ｂにスライド可能に挿入された第２パイプ３２と、第１および第２パイプ３１、３２に沿って設けられた図示しない電気配線部とを備える。
【００１６】  吸込口体４０は、モータおよびモータにて回転する回転ブラシ（以下、「パワーブラシ」という）を内蔵する吸込口本体４１と、吸込口本体４１に関節部を介して連結した接続パイプ部４２と、図示しない電気配線部とを備える。
【００１７】  この電気掃除機１を用いて清掃する際は、電源コードのプラグを商用電源に差し込み、操作ボタン２３ａを押すことにより電源がＯＮ状態となって電動送風機が駆動すると共に、パワーブラシが回転して被清掃面上のダストを吸込口体４０内に掻き込みながら吸引し、ダストが延長パイプ３０および接続ホース２０を通ってダストカップユニット１２内に集められる。
【００１８】＜接続ホースの構成＞  図２は実施形態１の接続ホースにおけるハンドル部を示す左側面図であり、図３は図２の接続ホースの左側断面図である。また、図４は実施形態１におけるハンドル部のハンドル本体部を取り外した状態を示す（Ａ）は斜視図、（Ｂ）は平面図である。また、図５は実施形態１におけるハンドル部のハンドル本体部の下部筐体を示す（Ａ）は下方から視た斜視図、（Ｂ）は底面図である。また、図６は実施形態１におけるハンドル部のハンドル本体部の下部筐体を示す（Ａ）は上方から視た斜視図、（Ｂ）は平面図である。また、図７は実施形態１におけるハンドル部のハンドル本体部の第２電極付きの下部筐体を示す（Ａ）は下方から視た斜視図、（Ｂ）は底面図である。また、図８は実施形態１における第２電極が第２電極取付部へ熱溶着により取り付けられた状態を示す断面図である。
【００１９】［可撓性ホース部］  図１〜図３に示すように、接続ホース２０の可撓性ホース部２１は、外面に螺旋巻きされた電気配線部を構成する複数（この場合、４本）の電線２４ａを有するホース本体２１ａと、ホース本体２１ａのホース基端部２１ａ1に設けられた接続部材２１ｂと、ホース本体２１ａのホース先端部２１ａ2に挿入された基端部を有する円筒部材２１ｃと、円筒部材２１ｃの外部に露出した先端部の外周面に取り付けられた円筒形の第１電極取付部２１ｄと、第１電極取付部２１ｄに取り付けられた電気配線部を構成する複数（この場合、３個）の円環状の第１電極２４ｂとを有する。なお、ホース本体２１ａの外面は複数の電線２４ａを覆う絶縁性フィルムにて被覆されている。
【００２０】  第１電極取付部２１ｄの外周面には軸心方向に等間隔で複数（この場合、４つ）の凹周溝が設けられている。そして、複数（この場合、３つ）の凹周溝内に帯形の金属プレートを巻き付けて固定することにより第１電極２４ｂが形成されている。  また、円筒部材２１ｃにおける第１電極取付部２１ｄと接合する外周面の一部には凹所２１ｃ1が設けられており、この凹所２１ｃ1内において各第１電極２４ｂと各電線２４ａとが図示しないリード線にて電気的に接続されている。
【００２１】［ハンドル部］  ハンドル部２２は、可撓性ホース部２１のホース先端部２１ａ2が回動可能に嵌め込まれた樹脂製の接続管部２２Ａと、操作部２３を有しかつ前記接続管部２２Ａと結合した樹脂製のハンドル本体部２２Ｂと、ハンドル本体部２２Ｂに設けられて接続管部２２Ａの内周面側に露出する第２電極取付部２２Ｃと、第２電極取付部２２Ｃに固定された電気配線部を構成する複数（この場合、３個）の第２電極２４ｃとを有する。
【００２２】《接続管部》  図１、図３、図４（Ａ）および（Ｂ）に示すように、接続管部２２Ａは、可撓性ホース部２１のホース先端部２１ａ2を挿入させる基端開口部２２Ａａ1を有する基端部２２Ａａと、延長パイプ３０の基端部３１ａが挿入される先端開口部２２Ａｂ1を有する先端部２２Ａｂと、基端部２２Ａａと先端部２２Ａｂとの間の中間部２２Ａｃとを有する。
【００２３】  接続管部２２Ａの基端部２２Ａａから中間部２２Ａｃに亘って可撓性ホース部２１の円筒部材２１ｃの先端部が挿入され、接続管部２２Ａの中間部２２Ａｃと先端部２２Ａｂとの屈曲した境界部分に円筒部材２１ｃの先端部が突き当たって気密に取り付けられている。そして、円筒部材２１ｃの先端部は、接続管部２２Ａにビス止めされた抜け止め片２２Ｄによって接続管部２２Ａからの抜け止めが施されているが、可撓性ホース部２１とハンドル部２２との相対的な回動は許容されている。
【００２４】  また、接続管部２２Ａの中間部２２Ａｃにおけるハンドル本体部２２Ｂとの結合側の面には、第２電極取付部２２Ｃに取り付けられた第２電極２４ｃを、第１電極取付部２１ｃに取り付けられた第１電極２４ｂ側に露出させる孔部２２Ａｃ1が形成されている。  また、接続管部２２Ａの先端部２２Ａｂには、係止部材２２Ｅの係止爪２２Ｅａを先端部２２Ａｂ内へ突出させる孔部２２Ａｂ11が形成されている。この係止部材２２Ｅの係止爪２２Ｅａは、接続管部２２Ａの先端開口部２２Ａｂ1内に延長パイプ３０の基端部３１ａが挿入された際、基端部３１ａの外周面に設けられた図示しない係止凹部と係脱可能に係止する。
【００２５】  さらに、接続管部２２Ａの先端部２２Ａｂには、一対の孔部２２Ａｂ12を有するリブが設けられている。これら一対の孔部２２Ａｂ12は、接続管部２２Ａの先端開口部２２Ａｂ1内に延長パイプ３０の基端部３１ａが挿入された際、基端部３１ａに設けられた図示しない一対の凸型接続端子（ピン形端子）を挿通させて後述の一対の凹型接続端子と電気的に接触させる。なお、延長パイプ３０の一対の凸型接続端子は延長パイプ３０の前記電気配線部の構成部品であり、接続管部２２Ａの一対の凹型接続端子は接続ホース２０の前記電気配線部の構成部品である。
【００２６】《ハンドル本体部》  図３に示すように、ハンドル本体部２２Ｂは、接続管部２２Ａにおけるハンドル本体部２２Ｂとの結合側の上面を覆う下ケース２２Ｂａと、下ケース２２Ｂａの上面を覆う上ケース２２Ｂｂとを有する。
【００２７】  図３、図５（Ａ）〜（Ｂ）および図６（Ａ）〜（Ｂ）に示すように、下ケース２２Ｂａは、接続管部２２Ａの基端部２２Ａａ、中間部２２Ａｃおよび先端部２２Ａｂを覆う後端部２２Ｂａ1、中間部２２Ｂａ2および前端部２２Ｂａ3を有すると共に、後端部２２Ｂａ1から中間部２２Ｂａ2に亘って使用者の手で握られるブリッジ部２２Ｂａ4が設けられている。
【００２８】  また、下ケース２２Ｂａにおいて、中間部２２Ａｃにおける接続管部２２Ａとの結合側の下面には、前記第２電極取付部２２Ｃが設けられている。  この第２電極取付部２２Ｃは、下ケース２２Ｂａに一体形成されてなり、電気配線部を構成する複数（この場合、３個）の第２電極２４ｃを前後方向に等間隔で取り付けるためにリブにて区画された下方開口状の４つの四角い取付凹部２２Ｃａを有している。そして、各取付凹部２２Ｃａには一対の位置決め凸部２２Ｃａ1が一体成形されている。
【００２９】  図７（Ａ）〜（Ｂ）および図８に示すように、第２電極２４ｃは、前記一対の位置決め凸部２２Ｃａ1を挿通させる一対の孔部２４ｃ11を有する固定プレート部２４ｃ1と、固定プレート部２４ｃ1の左右両端部から下方へ折れ曲がる一対の突出片部２４ｃ2と、一対の突出片部２４ｃ2の相互に離間する方向へ屈曲した先端部の下面に設けられた摺接凸部２４ｃ3とを有する。
【００３０】  実施形態１の場合、第２電極取付部２２Ｃの一対の位置決め凸部２２Ｃａ1を一対の孔部２４ｃ11に挿通させながら固定プレート部２４ｃ1を取付凹部２２Ｃａに密着させ、その状態で固定プレート部２４ｃ1を取付凹部２２Ｃａに溶着することにより、第２電極２４ｃを第２電極取付部２２Ｃに取り付けている。図８において、符号２４ｗは固定プレート部２４ｃ1と取付凹部２２Ｃａとの間に形成された溶着部を示している。なお、固定プレート部２４ｃ1の取付凹部２２Ｃａへの溶着は、熱溶着、超音波溶着等によって行うことができる。凸部Ｃａ1を熱で溶かして、下ケース２２Ｂａに固定プレート部２４ｃ1を取り付けてもよい。
【００３１】  図３、図５（Ａ）〜（Ｂ）および図７（Ａ）〜（Ｂ）に示すように、下ケース２２Ｂａにおいて、前端部２２Ｂａ3には前記係止部材２２Ｅの押しボタン部２２Ｅｂを外部へ露出させる孔部２２Ｂａ31が設けられている。  なお、接続管部２２Ａと下ケース２２Ｂａとの間に係止部材２２Ｅがビスにて組み付けられる際、接続管部２２Ａと係止部材２２Ｅの押しボタン部２２Ｅｂとの間に、押しボタン部２２Ｅｂを外方へ弾発的に付勢するコイルスプリング２２Ｆが取り付けられる。
【００３２】  さらに、下ケース２２Ｂａの前端部２２Ｂａ3の下面には、接続管部２２Ａの先端開口部２２Ａｂ1内に挿入された延長パイプ３０の前記一対の凸型接続端子と電気的に接続する前記一対の凹型接続端子２４ｄを取り付ける左右一対の端子取付部２２Ｂａ32が一体成形されている。  凹型接続端子２４ｄは、延長パイプ３０の凸型接続端子（ピン形端子）を挟み込むクリップ形に形成されており、リブにて構成された端子取付部２２Ｂａ32内に収納され熱溶着、超音波溶着等で溶着されて取り付けられている。  なお、ハンドル部２２の凹型接続端子２４ｄと、延長パイプ３０の凸型接続端子を入れ替えて設けるようにしてもよい。
【００３３】  図３に示すように、上ケース２２Ｂｂは、下ケース２２Ｂａ上にビスにて組み付けられることによって下ケース２２Ｂａの後端部２２Ｂａ1から前端部２２Ｂａ3に亘って覆うと共に、ハンドル本体部２２Ｂの握り部を構成する。  また、上ケース２２Ｂｂには、後述する操作部２３のボタンホルダー２３ｃを嵌め入れる孔部２２Ｂｂ1が形成されている。
【００３４】  操作部２３は、前記２個の操作ボタン２３ａ、２３ｂと、２個の操作ボタン２３ａ、２３ｂを保持する前記ボタンホルダー２３ｃと、下ケース２２Ｂａのリブにて支持される回路基板２３ｄと、回路基板２３ｄに設けられた２個のスイッチ部２３ｅ、２３ｆとを有する。  ボタンホルダー２３ｃは、その底部にスリットが形成されることにより板バネとしての機能が付加されており、各操作ボタン２３ａ、２３ｂを押すと底板を介して各スイッチ部２３ｅ、２３ｆが押され、離すと板バネによって各操作ボタン２３ａ、２３ｂが戻るように構成されている。
【００３５】  電気配線部は、前記電線２４ａ、前記第１および第２電極２４ｂ、２４ｃ、凹型接続端子２４ｄに加えて、第２電極２４ｃと操作部２３の回路基板２３ｄとを接続する図示しない第１リード線、および凹型接続端子２４ｄと回路基板２３ｄとを接続する図示しない第２リード線を有する。
【００３６】  第１リード線は、例えば、複数の第２電極２４ｃのうちの前２つの第２電極２４ｃをそれぞれ操作部２３の回路基板２３ｄに電気的に接続する２本のリード線を有してなる。  第２リード線は、例えば、一方の凹型接続端子２４ｄを前から２つめの第２電極２４ｃに電気的に接続するリード線と、他方の凹型接続端子２４ｄを後の第２電極２４ｃに電気的に接続するリード線とを有してなる。
【００３７】  ハンドル部１１の組み立ては、下ケース２２Ｂａに組み付けた回路基板２３ｄと２個の第２電極２４ｃの固定プレート部２４ｃ1とに第１リード線を半田付けすると共に、一対の凹型接続端子２４ｄと２個の第２電極２４ｃの固定プレート部２４ｃ1とに第２リード線を半田付けし、引き続き、可撓性ホース部２１の円筒部材２１ｃに組み付けられた接続管部２２Ａに下ケース２２Ｂａをビスにて組み付け、その後、操作ボタン２３ａ、２３ｂを有するボタンホルダー２２Ｂｂ1を組み付けた上ケース２２Ｂｂを下ケース２２Ｂａにビスにて組み付けることにより行われる。これにより、各第２電極２４ｃの一対の摺接凸部２４ｃ3が、可撓性ホース部２１側の各第１電極２４ｂに物理的に接触する。
【００３８】  このようなハンドル部１１の構成および組み立てによれば、ハンドル本体部２２Ｂの下ケース２２Ｂａに第２電極取付部２２Ｃを設け、可撓性ホース部２１側の第１電極２４ｂに周方向に摺動する第２電極２４ｃを第２電極取付部２２Ｃに取り付けるようにしているため、従来必要であった接点蓋およびそれをハンドル部に取り付けるビス等が省略される。この結果、接続ホース２０の組み立て作業性が向上すると共に、使用者が持つハンドル部１１が軽量化されて操作性が向上する。
【００３９】（実施形態２）  図９は実施形態２における第２電極が第２電極取付部へインサート成形により取り付けられた状態を示す断面図である。  実施形態１では、第２電極２４ｃを第２電極取付部２２Ｃに熱溶着により取り付けた場合（図８）を例示したが、第２電極２４ｃの第２電極取付部２２Ｃへの取り付けは熱溶着に限定されるものではない。
【００４０】  実施形態２では、図９に示すように、第２電極１２４ｃの第２電極取付部１２２Ｃへの取り付けがインサート成形により行われる。この場合、ハンドル本体部の下ケース１２２Ｂａにおける第２電極取付部１２２Ｃに、固定プレート部１２４ｃ1および一対の突出片部１２４ｃ2の一部が埋め込まれるが、固定プレート部１２４ｃ1の一部はリード線を半田付けするために外部へ露出させておく。実施形態２において、その他の構成は実施形態１と同様である。  なお、図９では固定プレート部１２４ｃ1の内面が外部に露出しているが、外面を露出させるようにしてもよい。
【００４１】（実施形態３）  実施形態１では、ハンドル本体部２２Ｂの下ケース２２Ｂａに第２電極取付部２２Ｃを一体成形により設けた場合を例示したが、第２電極取付部２２Ｃを接続管部２２Ａに一体成形により設けてもよい（図示省略）。
【００４２】  この場合、接続管部２２Ａにおける第２電極取付部２２Ｃを設ける位置に複数対のスリットを形成しておき、接続管部２２Ａ内に可撓性ホース部２１の円筒部材２１ｃを差し込んだ後、第２電極取付部２２Ｃの各スリットに外側から各第２電極２４ｃの一対の突出片部２４ｃ2（図８参照）を差し込む。そして、各第２電極２４ｃの固定プレート部２４ｃ1を第２電極取付部２２Ｃの外面に溶着し、その後、回路基板２３ｄおよび一対の凹型接続端子２４ｄを各第２電極２４ｃの固定プレート部２４ｃ1にリード線を介して電気的に接続（半田付け）する。
【００４３】  実施形態３では、組み立て工程中に第２電極の溶着およびリード線の配線作業が加わるため、実施形態１と比較すると組み立ての作業効率は低くなるが、部品点数の削減による軽量化を見込むことができる。
【００４４】（実施形態４）  実施形態１ではパワーブラシを内蔵した吸込口体と電気的に接続可能な接続ホースを例示したが、本発明の接続ホースに適用可能な吸込口体はこれに限定されるものではない。  本発明の接続ホースに適用可能なその他の吸込口体としては、例えば、吸込口体の走行をアシストするモータ駆動の駆動輪（パワーホイール）を内蔵した吸込口体、先端部にＬＥＤライトが設けられて前方に光を照射可能な吸込口体、パワーブラシ、パワーホイール、ＬＥＤライトのうちの２つ以上が組み合わされた吸込口体等が挙げられる。
【００４５】（他の実施形態）１．実施形態１〜３では、第２電極を第２電極取付部に溶着またはインサート成形により取り付けた場合を例示したが、本発明はこれに限定されるものではなく、例えば、取付プレートまたはビス等の取付部材を用いて取り付けることも可能である。なお、取付部材を用いない溶着またはインサート成形の方が組み立て作業性および軽量化の面で有利であるため好ましい。
【００４６】２．実施形態１の接続ホースでは、電気配線部が、延長パイプに設けられた凸型または凹型接続端子と電気的に接続可能な凹型または凸型接続端子を有する場合を例示したが、本発明はこれに限定されるものではなく、電気配線部は凹型または凸型接続端子が省略されたものであってもよい。この場合、本発明の接続ホースに適用可能な吸込口体は、パワーブラシ、パワーホイール、ＬＥＤライト等の電力を必要とする吸込口体以外の吸込口体、例えば、吸引時の空気流によって回転する回転ブラシ（タービンブラシ）を有する吸込口体、回転ブラシを有さない吸込口体が適用可能である。
【００４７】（まとめ）  本発明の電気掃除機の接続ホースは、電動送風機を内蔵する掃除機本体に接続されるホース基端部を有する可撓性ホース部と、前記可撓性ホース部のホース先端部に取り付けられたハンドル部と、前記ハンドル部に設けられた操作ボタンを有する操作部と、前記操作部の前記操作ボタンからの指令信号を前記掃除機本体側へ送信する電気配線部とを備え、  前記可撓性ホース部は、前記ホース先端部の外周面に設けられた第１電極取付部を有し、  前記ハンドル部は、前記可撓性ホース部の前記ホース先端部が回動可能に嵌め込まれた接続管部と、前記操作部を有しかつ前記接続管部と結合したハンドル本体部と、前記ハンドル本体部に設けられた第２電極取付部とを有し、  前記電気配線部は、前記可撓性ホースの前記第１電極取付部に取り付けられた円環状の第１電極と、前記第１電極に周方向に摺動可能に前記ハンドル部の前記第２電極取付部に取り付けられた第２電極とを有する。
【００４８】  本発明の電気掃除機の接続ホースは、次のように構成されてもよく、それらが適宜組み合わされてもよい。（１）前記ハンドル本体部は、前記接続管部と結合する内面側に一体成形された前記第２電極取付部を有し、  前記接続管部は、前記第２電極取付部に取り付けられた前記第２電極を前記第１電極取付部に取り付けられた前記第１電極側に露出させる孔部を有してもよい。  この構成によれば、第１電極が取り付けられた可撓性ホース部のホース先端部にハンドル部の接続管部を組み付け、かつハンドル部のハンドル本体部の第２電極取付部に第２電極を取り付けた後、接続管部にハンドル本体部を組み付けることができる。これにより、第２電極部が可撓性ホース部のホース先端部に引っ掛かることなく確実かつ容易に第１電極部に接触した状態に接続ホースを組み立てることができる。つまり、第２電極を接続管部の内面側に配置した状態で第１電極が取り付けられたホース先端部を接続管部に挿入していくと、ホース先端部が第２電極に引っ掛かりやすくなるが、前記構成（１）によればこのような引っ掛かりを回避することができる。
【００４９】（２）前記第２電極は、前記第２電極取付部に溶着またはインサート成形されて取り付けられてもよい。  この構成によれば、第２電極取付部に第２電極を取り付ける取付部材が不要となるため、組み立て作業性および軽量化がより一層向上する。
【００５０】（３）前記ハンドル部は、延長パイプを介して接続可能なハンドル先端部を有し、  前記電気配線部は、前記延長パイプに設けられた凸型または凹型接続端子と電気的に接続可能な凹型または凸型接続端子を有し、  前記ハンドル先端部における前記ハンドル本体部は、前記電気配線部の凹型または凸型接続端子を取り付ける端子取付部を有し、  前記電気配線部の凹型または凸型接続端子は、前記端子取付部に取り付けられてもよい。  この構成によれば、モータ駆動する回転ブラシ（パワーブラシ）を内蔵する吸込口体を、延長パイプを介して接続ホースに電気的に接続することができ、パワーブラシによって被清掃面上のダストを掻き込みながら清掃することが可能となる。）また、モータ駆動する駆動輪（パワーホイール）、ＬＥＤライト等を内蔵する吸込口体を延長パイプを介して接続ホースに電気的に接続して使用することもできる。  また、電気配線部の凹型または凸型接続端子を端子取付部に溶着またはインサート成形にて取り付けることにより取付部材が不要となるため、組み立て作業性および軽量化がより一層向上する。
【００５１】  なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５２】  １  電気掃除機  １０  掃除機本体  ２０  接続ホース  ２１  可撓性ホース部  ２１ａ1  ホース基端部  ２１ａ2  ホース先端部  ２１ｄ  第１電極取付部  ２２  ハンドル部  ２２Ａ  接続管部  ２２Ａｃ1 孔部  ２２ａ  ハンドル先端部  ２２Ｂ  ハンドル本体部  ２２Ｂａ32  端子取付部  ２２Ｃ  第２電極取付部  ２３  操作部  ２３ａ、２３ｂ  操作ボタン  ２４ｂ  第１電極  ２４ｃ  第２電極  ２４ｄ  凹型接続端子  ２４ｗ  溶着部  ４０  吸込口体
【図１】
2019026306.tif 000003
【図２】
2019026306.tif 000004
【図３】
2019026306.tif 000005
【図４】
2019026306.tif 000006
【図５】
2019026306.tif 000007
【図６】
2019026306.tif 000008
【図７】
2019026306.tif 000009
【図８】
2019026306.tif 000010
【図９】
2019026306.tif 000011
【国際調査報告】
2019026306.tif 000012
2019026306.tif 000013